【事件の表示】
　特願２０１８−５５５９１４「表示制御方法、システム及びバーチャルリアリティデバィス」拒絶査定不服審判事件〔平成３１年　４月　４日国際公開、ＷＯ２０１９／０６１７９８、令和　１年１１月２１日国内公表、特表２０１９−５３３８４４、請求項の数（７）〕について、次のとおり審決する。
【結　論】
　原査定を取り消す。
　本願の発明は、特許すべきものとする。
【理　由】
第１　手続の経緯
　本願は，２０１７年（平成２９年）１１月３０日（パリ条約による優先権主張外国庁受理２０１７年９月２７日，中国）を国際出願日とする出願であって，その手続の経緯は以下のとおりである。
　　　令和元年１２月　９日付け　拒絶理由通知
　　　令和２年　３月１６日　　　意見書・手続補正書　提出
　　　令和２年　７月　１日付け　拒絶査定
　　　令和２年１１月　７日　　　審判請求書・手続補正書　提出
第２　原査定の概要
　原査定（令和２年７月１日付け拒絶査定）の概要は次のとおりである。
１．（新規性）この出願の請求項１−５および９−１０に係る発明は，その出願前に日本国内又は外国において，頒布された下記の刊行物に記載された発明又は電気通信回線を通じて公衆に利用可能となった発明であるから，特許法第２９条第１項第３号に該当し，特許を受けることができない。
２．（進歩性）この出願の請求項１−１０に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。
　　　　　　　　　　　　＜引用文献等一覧＞
　　　１．特開２００８−２１７７５３号公報
第３　本願発明
　本願の請求項１ないし７に係る発明（以下，「本願発明１」ないし「本願発明７」という。）は，令和２年１１月７日の手続補正書により補正された以下のとおりの特許請求の範囲の請求項１ないし請求項７に記載された事項により特定されるとおりの発明である。
「【請求項１】
　バーチャルリアリティデバィスに用いる表示制御方法であって，
　近距離無線通信タグが検出された場合，前記近距離無線通信タグに予め記憶されている，制御タイプと表示対象とを含む制御情報を取得することと，
　前記バーチャルリアリティデバィスにおいて，バーチャルリアリティ画面に表示されるコンテンツを制御するため，前記制御タイプに基づき前記表示対象に対して対応する操作を行うことと，を含み，
　前記表示対象は，前記制御タイプに対応する識別情報であり，
　前記制御タイプが，デフォルト表示コンテンツの設定制御であり，前記表示対象が，デフォルト表示コンテンツを設定する表示コンテンツ識別情報であり，
　前記制御タイプに基づき前記表示対象に対して対応する操作を行うこと，とは，前記表示コンテンツ識別情報を，予め設定されたデフォルト表示コンテンツ属性に割り当てることにより，前記表示コンテンツ識別情報に対応する表示コンテンツをデフォルト表示コンテンツにすることであり，
　前記デフォルト表示コンテンツの設定制御には，複数のタイプがあり，前記複数のタイプには，デフォルトの表示シーンの設定制御，および，デフォルトで表示されるアプリケーションプログラムの設定制御が含まれることを特徴とする表示制御方法。
【請求項２】
　前記表示コンテンツ識別情報を予め設定されたデフォルト表示コンテンツ属性に割り当てることは，
　前記デフォルト表示コンテンツの設定制御のタイプに基づき，目的属性を決定することと，
　前記表示コンテンツ識別情報が前記目的属性に対応している場合，前記表示コンテンツ識別情報を前記目的属性に割り当てることと，を含み，
　前記目的属性は，複数の予め設定されたデフォルト表示コンテンツ属性のうちの１つである
ことを特徴とする請求項１に記載の表示制御方法。
【請求項３】
　ユーザがタグ書き込み画面に入力する前記制御情報を取得することと，
　前記制御情報を前記近距離無線通信タグに書き込むことと，を含む
ことを特徴とする請求項１または請求項２に記載の表示制御方法。
【請求項４】
　ユーザがタグ書き込み画面に入力する前記制御情報を取得することは，
　前記タグ書き込み画面において，制御タイプ選択リスト及び表示対象選択リストを表示することと，
　ユーザが前記制御タイプ選択リストから前記制御タイプを選択し，そして前記表示対象リストから前記表示対象を選択する場合，前記制御タイプに対応する制御情報パッケージ形態に基づき，前記制御タイプと前記表示対象とをパッケージすることで，前記制御情報を得ることと，を含む
ことを特徴とする請求項３に記載の表示制御方法。
【請求項５】
　ユーザからの書き込み指令の送信を待ち，書き込み指令を受信すると，前記近距離無線通信タグへの前記制御情報の書き込みを実行することを含むことを特徴とする請求項３または請求項４に記載の表示制御方法。
【請求項６】
　バーチャルリアリティデバィスであって，
　処理装置と，記憶装置と，近距離無線通信リーダライタと，を含み，
　前記処理装置が，前記記憶装置と，前記近距離無線通信リーダライタとそれぞれ接続され，
　前記近距離無線通信リーダライタは，近距離無線通信タグに予め記憶されている制御情報を読み取り，且つ前記制御情報を前記処理装置に送信し，
　前記記憶装置は，前記処理装置により実行されるとき，請求項１ないし請求項５のいずれの一項に記載の表示制御方法を実現するための１つまたは複数のコンピュータ指令を記憶することを特徴とするバーチャルリアリティデバィス。
【請求項７】
　表示制御システムであって，
　近距離無線通信タグと，請求項７に記載のバーチャルリアリティデバィスとを含むこと
を特徴とする表示制御システム。」
第４　引用文献および引用発明
１　引用文献１の記載事項
　原査定の拒絶理由に引用された引用文献１には，図面とともに次の事項が記載されている（下線は，当審が付加した。以下同様。）。
ア　「【技術分野】
【０００１】
　本発明は，情報の検索条件や表示指示等のユーザが指定する事項を各種情報処理に供する入力情報として受け付けるための情報入力技術に関する。
【背景技術】
【０００２】
　インターネット上のWebページによる情報提供サービスでは，階層構造の画面中でユーザが行う所定のメニュー選択や検索条件入力等の入力操作により，画面階層間を遷移して所望の情報にアクセスする情報検索を行うことが一般的に実施されている。このような形態の情報検索は，Webページによる情報提供サービスのみならず，ユーザが端末機等を操作して所望の情報にアクセスする情報提供システム一般において広く実施されており，店舗等の施設で当該施設に関連した情報提供を所定の情報表示端末等で行うような場合にも採用されている。
【０００３】
　例えば，婦人靴を販売する店舗においては，来店客がタッチパネルのボタン操作等によって指定した靴の在庫の有無を表示する婦人靴システムが導入されているところもある。
その既存の婦人靴システムでは，商品陳列棚の展示靴に各靴識別用のＲＦＩＤ（Radio Frequency Identification）タグを貼付しておき，タッチパネルに併設したＲＦＩＤリーダ上に来店客が展示靴を置くと，タッチパネルの画面表示が当該展示靴のスタイル及び色とサイズの選択ボタンとを示した在庫検索画面に遷移する。そして，来店客が自身のサイズの選択ボタンを操作すると，当該展示靴のスタイル及び色で選択したサイズに該当する靴の在庫が検索され，その在庫の有無が表示される。また，在庫検索画面における他のボタン操作では，置いた展示靴の色とは異なる色を選択して在庫を検索したり，他の商品を探すメニューを選択したりすることもでき，来店客が他の商品を探すメニューを選択した場合には，スタイル，色及びサイズのそれぞれについていくつかの選択ボタンが用意された検索条件設定画面に遷移する。検索条件設定画面では，来店客が所望のスタイル，色及びサイズを選択して検索を実行させると，その選択したスタイル，色及びサイズを検索条件として店舗内にある商品の靴が検索され，検索条件に合致する靴が示された検索結果画面に遷移する。来店客は，検索結果画面で所望の靴の有無を見ることができるが，色・サイズの変更ボタンを操作して再び検索条件設定画面に戻り，検索条件を変更してさらに他の靴を探すこともできる。
【０００４】
　このような靴等の商品に関する情報やWebページの情報等を検索するに当たっては，ユーザに対し，所望の情報が表示される画面にたどり着く適切な入力操作を行うことが求められ，所望の検索結果が得られない場合には前の画面に戻って再検索をする入力操作等も要求される。しかし，それらの入力操作は，情報機器に疎い高齢者等にとっては容易でなく，ユーザが探したい商品等の情報を見つけることが困難になっている場合もある。かかる実情と現代社会における高齢化の進行を背景として，Webページによる情報提供システムに関しては，高齢者を対象にアクセシビリティの向上を試みた次のような技術が提案されている。
【０００５】
　非特許文献１及び非特許文献２には，高齢者のメンタルモデルからWebページを作成する技術が開示されている。これらの文献によれば，高齢者は，画面をスクロールしたり画面中のリンクが張られた部分をクリックしたりする選択行動を避ける傾向にあって，画面階層間を繰り返し遷移することがないので，十分情報検索を行うことができない。そこで，非特許文献１の技術は，リンクをしなくても済むようにできるだけリンクを張らずに一画面に情報を詰め込んで表示することとし，非特許文献２の技術は，スクロールをしなくても済むように買い物システムの全商品を一画面内に表示することとしている。
【０００６】
　非特許文献３及び非特許文献４では，高齢者にとってはマウスカーソルをリンクに合わせてクリックする操作が難しいことから，その困難性を軽減するための技術が開示されている。非特許文献３の技術は，クリック時にマウスの位置がずれても所定の範囲を許容誤差としてリンク部分を拡大することとし，非特許文献４の技術は，リンクからのマウスカーソルのずれを判別してずれる前の位置へ戻す補正を行うこととしている。
【非特許文献１】山内　英明，“高齢者の特性を考慮したWebページの作成方針の提案”，[online]，東京理科大学　工学部　経営工学科　山本研究室，［平成１９年２月２日検索］，インターネットＵＲＬ：http://hci.ms.kagu.tus.ac.jp/theme/2002/pdf/yamauchi.pdf
【非特許文献２】成田　有希，“高齢者の買い物システムの使用性に関する人間工学的研究”，[online]，東京理科大学 山本 栄 研究室，［平成１９年２月２日検索］，インターネットＵＲＬ：http://hci.ms.kagu.tus.ac.jp/theme/2000/Narita_Yuuki.pdf
【非特許文献３】横内　一弥，“Webページを閲覧する際に見られる高齢者の特性を考慮したブラウザの作成”，[online]，東京理科大学　工学部　経営工学科　山本研究室，［平成１９年２月２日検索］，インターネットＵＲＬ：http://hci.ms.kagu.tus.ac.jp/theme/2003/pdf/yokouti.pdf
【非特許文献４】高橋　祐一，外１名，“高齢者のためのウェブブラウザ操作支援ツールの開発”，[online]，東京理科大学工学部　経営工学科　山本研究室，［平成１９年２月２日検索］，インターネットＵＲＬ：http://hci.ms.kagu.tus.ac.jp/theme/2004/pdf/takahashi-nagatsuma.pdf
【発明の開示】
【発明が解決しようとする課題】
【０００７】
　上記非特許文献１や非特許文献２の技術によれば，メニュー選択，検索条件入力及び検索結果のアイテム表示等をコンパクトに一画面にまとめて階層構造を減らし，スクロールやリンクが張られたボタンのクリック等の入力操作を減らすように画面レイアウトを工夫することができる。しかし，一画面にまとめ切れない量の情報がある場合には，結局スクロールやリンクのクリック等の入力操作をしなければならなくなるので，依然として高齢者には十分情報検索ができないという上記同様の問題は残る。そのような場合に無理にすべての情報を一画面にまとめようとすると，表示される文字等が小さくなり，視認性が悪くなる。
　一方，上記非特許文献３や非特許文献４の技術では，一画面に多くのリンクを詰め込もうとする場合等でリンクが近接しているときには，許容誤差や補正対象のずれと判断すべき距離を小さくしなければならないため，補正等の効果が上がらなくなる。
【０００８】
　情報提供システムのアクセシビリティ向上を図る技術において，このように何らかの問題が生じる要因の一つは，情報提供システム一般で採用されている階層構造での基本操作の仕組みを改善していないところにある。情報提供端末のパーソナル・コンピュータ等は，モニタに映し出される画面上への情報の出力，その出力情報の画面におけるボタン押下等による入力，及びその入力を契機とした画面の遷移を基本動作とし，それらの出力，入力及び遷移を基本とした階層構造による情報の提供を行う入出力システムとなっている。
　これに対し，情報検索におけるユーザの基本操作では，画面トップでメニュー選択し，検索条件入力画面で検索条件を選択して検索ボタンをクリックすると，検索結果画面で検索結果のアイテムが表示され，アイテム数が多いときにはスクロール等により次ページのアイテムを参照し，探しているアイテムがなければ画面トップや検索条件入力画面へ戻って先の操作を繰り返す。すなわち，階層構造による情報提供は，出力画面に対する入力操作に応じた画面遷移を繰り返して情報を探すのが基本となっているため，これに合わせた基本操作としてメニュー選択，検索条件の選択，検索の実行，スクロール及び戻る等の入力操作を逐一繰り返して行うという仕組みになっている。したがって，この基本操作の仕組みを改善していない技術は，上記非特許文献の各技術のように入力操作の回数を減らしたり困難性を軽減したりしたとしても，従前同様の基本操作が要求される事態をすべて回避できるわけではないので，結局のところ高齢者には十分情報検索ができない等の従前同様の問題が残存してしまい，それを解消しようとすると上述した視認性の悪化等の新たな問題が発生してしまう。
【０００９】
　階層構造による情報提供においては，如何に入力操作の便を図ったとしても，このように従前同様の基本操作が要求される限り，所望の情報表示画面にたどり着く適切な入力操作や前の画面に戻って再検索をする入力操作等がユーザに要求されることは変わらない。
このため，高齢者のみならず子供等の情報機器に疎い者は情報検索の操作を十分に行うことができず，情報提供システムのユーザが所望の情報にアクセスできない場合があるという従来からの実情に大きな変化はない。上記婦人靴システムのような商品検索システム等にあっては，高齢者や子供も含めて誰にでも利用することができるように広く開放すべきであるにも拘わらず，かかる実情から店舗にある情報表示端末等があまり積極的に利用されていない場合がある。
【００１０】
　本発明は，このような事情に鑑みてなされたものであり，情報の検索条件等のユーザが指定する事項を情報提供システムにおける入力情報として受け付けるに当たり，ユーザに求められる基本操作の仕組みを改善してアクセシビリティを向上させ，階層構造による情報提供を十分に利用できなかった高齢者や子供等でも容易に情報検索等の入力操作を行うことができ，さらには，高齢者や子供等に対象を特定せず，誰にでも容易に操作をすることができるユニバーサルデザインを指向する入力インターフェースとしても利用すること
が可能な情報入力技術を提供することを目的としている。」
イ　図１
ウ　図２
エ　「【００１９】
＜構成＞
　以下，図面を参照しつつ本発明の実施の形態について説明する。図１及び図２は，本発明の一実施形態による情報入力装置を適用した婦人靴検索システムの構成を示した図であり，図１が外観構成を示し，図２が機能ブロック図で表したシステム構成を示している。本
婦人靴検索システムは，
サンプル１，操作プレート２，ＲＦＩＤリーダ３，レイアウト表示シート４，コンピュータ５，モニタ６及び商品検索台７を有し，婦人靴を販売する店舗において来店客に商品の靴に関する情報提供を行うもの
【００２０】
　
サンプル１は，本婦人靴検索システムでの情報検索において指定できる各検索条件を来店客に連想させるメタファ（隠喩）となる物に，ＲＦＩＤタグ（ないしＩＣ（integrated circuit）タグ）を付したものである
それぞれの検索条件を連想させる各物毎に予め当該各物を識別する識別情報のタグＩＤが割り当てられ，そのタグＩＤを記憶したＲＦＩＤタグが付されたもの（ＲＦＩＤタグが貼付，添付ないし内蔵等されたもの）となっている
（中略）
【００２２】
　
操作プレート２は，本婦人靴検索システムに対して行うことができる各操作を来店客に連想させるメタファとなる物に，ＲＦＩＤタグ（ないしＩＣタグ）を付したものである
それぞれの操作を連想させる各物毎に予め当該各物を識別する識別情報のタグＩＤが割り当てられ，そのタグＩＤを記憶したＲＦＩＤタグが付されたもの（ＲＦＩＤタグが貼付，添付ないし内蔵等されたもの）となっている
【００２３】
　
３Ｄ映像操作プレート２０としては，“表示”の文字が示された“表示”プレートと“回転停止”の文字及び図示の回転矢印が示された“回転停止”プレートが用意されている。移動操作プレート２１としては，“次へ”の文字及び三角形の右方向指示マークが示された“次へ”プレートと“前へ”の文字及び三角形の左方向指示マークが示された“前へ”プレートが用意されている。これらの“表示”プレート，“回転停止”プレート，“次へ”プレート，“前へ”プレートは，実際に触れることができる有体物であって，それぞれ表示，回転停止，次へ，前へといった操作のメタファとなる物になっており，個々のプレートを識別するためのＲＦＩＤタグがそれぞれの裏面等の所定箇所に貼付されている
【００２４】
　
ＲＦＩＤリーダ３は，その上の読取領域に置かれたＲＦＩＤタグに記憶されている情報を読み取るＲＦＩＤの読取手段であり，コンピュータ５と接続されている
レイアウト表示シート４は，ＲＦＩＤリーダ３上に置かれた紙製等のシートであり，ＲＦＩＤリーダ３上に置く物の案内をする所定のレイアウト表示がなされている
オ　図３
カ　「【００２５】
　図３は，かかるレイアウト表示の一例として本婦人靴検索システムが採用する形態を表したレイアウト表示シート４を示した図である。レイアウト表示シート４はＲＦＩＤリーダ３上に置かれているので，来店客が商品検索台７の前に立ったときには，図３のレイアウト表示シート４をＲＦＩＤリーダ３の上面として見ることになる。そのレイアウト表示シート４には，図示のように
“探したい靴のサンプル”と示された四角形状の枠が表示され，その枠内にそれぞれ“色”，“スタイルまたは靴”，“サイズ”，“材質”と示された四角形状の４つの枠が表示されている
これにより，上述した色サンプル１２，スタイルサンプル１３，サイズサンプル１０，材質サンプル１１をそれぞれ図中の破線矢印で示したように“色”，“スタイルまたは靴”，“サイズ”，“材質”の枠内に置くよう案内している
（中略）
【００２７】
　また，レイアウト表示シート４には，“
探したい靴のサンプル”の枠の下に“操作”と示された四角形状の枠が表示され，その枠内にそれぞれ“３Ｄ映像”，“移動”と示された四角形状の２つの枠が表示され
これにより，
３Ｄ映像操作プレート２０，移動操作プレート２１をそれぞれ
“３Ｄ映像”，“移動”の枠内に置くよう案内している
キ　「【００３０】
　
コンピュータ５は，本婦人靴検索システムによる情報提供を実施するためのプログラムがインストールされているパーソナル・コンピュータ等の電子計算機であり，タグＩＤ読取部５ａ，アプリ部５ｂ及び記憶部５ｃを有し，モニタ６と接続されている
【００３１】
　タグＩＤ読取部５ａは，ＲＦＩＤリーダ３の読取動作を制御してコンピュータ５での処理に供し得るタグＩＤを取得するタグＩＤの読取機能ブロックであり，ＲＦＩＤリーダ３との接続インターフェースやＣＰＵ，ＲＯＭ及びＲＡＭ等の前記プログラムによる動作機能等によって構成される。具体的には，
タグＩＤ読取部５ａは，ＲＦＩＤリーダ３に対してＲＦＩＤタグのタグＩＤを読み取らせるタグ読取コマンドを送信し
ＲＦＩＤリーダ３から読み取ったタグＩＤ群を受信し
アプリ部５ｂに対してタグＩＤ群を供給する
【００３２】
　
ここで，アプリ部５ｂに供給するタグＩＤ群（“（３）タグＩＤ群”）の形式は，‘タグＩＤ，タグＩＤ，…，ダミータグＩＤ’とし，１回に読み取られたタグＩＤ群の区切りを示す所定のダミータグＩＤを付加したもの
【００３３】
　
アプリ部５ｂは，読み取られたタグＩＤと記憶部５ｃ中の情報に基づいてモニタ６の表示制御等を行うアプリケーション・プログラムの実行処理部であり，
（中略）
【００３４】
　
記憶部５ｃは，コンピュータ５にインストールされたプログラムのファイルやそのプログラムによって取り扱われる種々の情報のデータ・ファイル等が格納されている記憶手段であり，
各タグＩＤと当該各タグＩＤが割り当てられた物に関する情報との対応関係を表したタグＩＤテーブルや商品の靴に関する情報のデータベース等のファイルが予め記憶されている
キ　図４
ク　「【００３５】
　図４は，そのタグＩＤテーブル等のレコード構造を示した図である。図４中，上段のタグＩＤテーブルと中段の属性毎のテーブルは，サンプル１，操作プレート２及び展示靴に関する情報管理用のテーブルであり，下段の商品ＤＢ及び商品コードＤＢは，商品（在庫にある靴等）に関する情報管理用のデータベースである。
【００３６】
　
タグＩＤテーブルは，それぞれのタグＩＤ毎に対応する種別，属性及び属性内ＩＤが記憶されたものとなっており，
タグＩＤをキーとして参照される
属性内ＩＤは，そのタグＩＤが割り当てられた物が該当する属性の中でユニークな任意のＩＤである。各属性に含まれる個々の物に対しては，当該各属性内において他の物と識別するＩＤが属性内ＩＤとして予め割り当てられており，その属性内ＩＤが個々の物のタグＩＤに対応する属性内ＩＤとして予め記憶されている
【００３７】
　
属性毎のテーブルは，かかる属性内ＩＤ毎に，対応する個々の物に係る情報が記憶されたものである
【００３８】
　
操作の各属性については，３Ｄ映像のそれぞれの属性内ＩＤに対応する“表示”等を示す値が記憶された３Ｄ映像テーブル，及び移動のそれぞれの属性内ＩＤに対応する“次へ”等を示す値が記憶された移動テーブルがある。すなわち，操作の各属性においては，それぞれの属性内ＩＤが対応する個々の物に係る情報として，その物がメタファとなっていて指定する具体的な個々の操作が記憶されている
（中略）
【００４２】
　図２中の
記憶部５ｃには，
商品コードＤＢ中の各商品コードに対応する静止画像ファイル名及び３Ｄ映像ファイル名の静止画像ファイル及び３Ｄ映像ファイルも記憶されている
これらの情報が当該アプリケーション・プログラムを実行するアプリ部５ｂの処理で利用され，モニタ６の表示が制御される
【００４３】
　
モニタ６は，そのアプリ部５ｂによる制御の下で画面上に所定の情報表示をする液晶ディスプレイやプラズマディスプレイ等の表示手段である
ケ　「【００４４】
＜動作＞
　次に，上記構成による動作について説明する。図５〜図１０は，読み取られたタグＩＤと記憶部５ｃ中の情報（上記タグＩＤテーブル，属性毎のテーブル，商品ＤＢ，商品コードＤＢ，静止画像ファイル及び３Ｄ映像ファイル等）に基づき，
アプリ部５ｂがモニタ６の表示制御等を行う処理の手順
【００４５】
　処理を開始した当初の
アプリ部５ｂは，まず，モニタ６に初期画面を表示させ
初期画面は
モニタ６の画面中に
“靴もしくはお探しの靴のサンプルを台の上に置いてください。”との案内表示がなされている画面である
ユーザの来店客に対しては，この案内表示と上述したレイアウト表示シート４の案内によってサンプル１等の物をＲＦＩＤリーダ３上に置くよう促され
【００４６】
　
アプリ部５ｂは，続いてタグＩＤ読取部５ａからタグＩＤ群を受信し
これにより，タグＩＤ群がダミータグＩＤのみである場合には，モニタ６の表示は当初の初期画面とし（既に当初の初期画面が表示されているのであれば，その画面表示を維持し），再びタグＩＤ読取部５ａからタグＩＤ群を受信して同様の判断を繰り返す（ステップＳ3での判断結果が“YES”の場合にはステップＳ4に進み，再びステップＳ2に戻ってステップＳ3へと進む。）。処理の開始当初で未だ何もＲＦＩＤリーダ３上に置かれていないうちは，アプリ部５ｂが順次受信するタグＩＤ群をダミータグＩＤのみと判断し続け，モニタ６では当初の初期画面の表示が維持される（ステップＳ3での判断結果が“YES”のままでステップＳ2，Ｓ3及びＳ4の処理が繰り返される。）。
【００４７】
　今，来店客Ｘがサンプル１等の何らかの物をＲＦＩＤリーダ３上に置いたとすると，そのタグＩＤが読み取られてタグＩＤ読取部５ａからダミータグＩＤのみでないタグＩＤ群がアプリ部５ｂに供給される。これにより，アプリ部５ｂは，受信したタグＩＤ群がダミータグＩＤのみでないと判断し（ステップＳ3での判断結果が“NO”となり），そのタグＩＤ群が前回受信したタグＩＤ群と同一であるか否かを判断する（ステップＳ5）。
【００４８】
　受信したタグＩＤ群が前回受信したタグＩＤ群と同一であるということは，ＲＦＩＤリーダ３上に置かれている物が前回のタグＩＤ群受信時と変わっていないということであり，同一でないということは，何らかの物が新たに置かれたり取り去られたりしたということである。したがって，アプリ部５ｂは，受信したタグＩＤ群が前回のタグＩＤ群と同一であるか否か，すなわち，タグＩＤ群に差分が発生したか否かを判断することにより，ＲＦＩＤリーダ３上の物の変動を監視している。これにより，アプリ部５ｂは，受信したタグＩＤ群が前回のタグＩＤ群と同一でない場合（ステップＳ5での判断結果が“NO”である場合）には，その差分のタグＩＤ群等を基に現在の画面（システム）の状態毎の処理を実施し（ステップＳ6），同一である場合（ステップＳ5での判断結果が“YES”である場合）には，タグＩＤ群を受信する上記ステップＳ2の処理へと戻り，前回と同一のタグＩＤ群についての処理を重ねて行うことはしない。現時点では，前回までのタグＩＤ群がダミータグＩＤのみだったので，今回のタグＩＤ群は前回のタグＩＤ群と同一でないと判断され，アプリ部５ｂは，現在の画面（システム）の状態毎の処理を実施する（ステップＳ5での判断結果が“NO”となってステップＳ6に進む。）。
【００４９】
　現在の画面（システム）の状態毎の処理とは，本婦人靴検索システムの動作状態を表象するモニタ６の画面表示の各状態に応じた処理であり，上述のようにタグＩＤ群に差分が生じたときに図５中のステップＳ6で実施される（以下，このステップＳ6で実施する処理を「現画面状態毎の処理」という。）。図６〜図１０のフローチャートは，その現画面状態毎の処理の手順を示したものとなっている。アプリ部５ｂは，これら図６〜図１０の手順により，図５中のステップＳ6に至った時点でのモニタ６の画面表示状態に応じた処理を実行する。
【００５０】
　現画面状態毎の処理では，まず，モニタ６が初期画面の表示状態であるか否かを判断する（図６中のステップＳ10。モニタ６の表示はアプリ部５ｂが制御しているので，モニタ６で如何なる画面が表示されているかはアプリ部５ｂで判断することができる。）。現時点では，モニタ６の表示は当初の初期画面のままなので，アプリ部５ｂは，モニタ６が初期画面の表示状態であると判断し（ステップＳ10での判断結果が“YES”となり），次いで種別が展示靴のタグＩＤがあるか否かを判断する（ステップＳ11）。【００５１】
　初期画面においては，“靴もしくはお探しの靴のサンプルを台の上に置いてください。”との案内表示にあるように，ＲＦＩＤリーダ３上に展示靴かサンプル１のいずれかが置かれることが予定されている。そこで，上記来店客Ｘが置いた物がサンプル１中のいずれかであったとすると，アプリ部５ｂは，そのタグＩＤが対応するタグＩＤテーブル中の種別を参照し，それがサンプルであることから展示靴のタグＩＤはないものと判断し（ステップＳ11での判断結果は“NO”となり），次いで種別がサンプルのタグＩＤがあるか否かを判断する（ステップＳ12）。サンプルのタグＩＤがある場合（ステップＳ12での判断結果が“YES”の場合）には，その
タグＩＤが対応するタグＩＤテーブル中の属性及び属性内ＩＤに基づいて属性毎のテーブルから値を読み出す
【００５２】
　属性毎のテーブルから値を読み出したアプリ部５ｂは，スタイル，色，材質及びサイズの全属性が揃っているか否か，すなわち，これらの全属性についてそれぞれ１つ以上の値が読み出されているか否かを判断する（ステップＳ14）。ＲＦＩＤリーダ３上に置かれたサンプル１中の物については，上記ステップＳ13の処理によって属性毎のテーブルから値が読み出されているので，このアプリ部５ｂの判断により，スタイルサンプル１３，色サンプル１２，材質サンプル１１及びサイズサンプル１０のそれぞれのうちから少なくとも１つ以上の物が現時点でＲＦＩＤリーダ３上に置かれているか否かが判断される。来店客Ｘがサンプル１中の全属性に係る物を未だ置いていないとすると，アプリ部５ｂは，全属性が揃っていないと判断し（ステップＳ14での判断結果が“NO”となり），既に
読み出されている値から属性値が指定された初期画面をモニタ６に表示させ
【００５３】
　
ここにいう属性値が指定された初期画面とは，例えば色が赤である等，既に読み出されている値が含まれる属性（スタイル，色，材質ないしサイズ）について，その値が示す個々の物に係る情報（パンプス，赤，革ないし23.5等）が表示された画面である
コ　「【００６７】
　一方，
モニタ６が検索結果画面の表示状態であるときに３Ｄ映像操作プレート２０の“表示”プレートが置かれると，
アプリ部５ｂは，そのタグＩＤが対応するタグＩＤテーブル中の属性及び属性内ＩＤに基づいて属性毎のテーブルから値を読み出し
，
属性が３Ｄ映像で値が“表示”のタグＩＤがあると判断し
次いで属性が３Ｄ映像で値が“回転停止”のタグＩＤがあるか否かを判断する
モニタ６に選択枠の靴に該当する３Ｄ映像画面を表示させ，その３Ｄ映像を回転させる
【００６８】
　したがって，
来店客Ｘが
検索結果画面中央の靴に合わせ，その靴の形等を３Ｄ映像でよく見てみたいと思ったときに
３Ｄ映像操作プレート２０の“表示”プレートを置くと，
当該靴の３Ｄ映像がポップアップし，
回転して表示され
来店客Ｘは，その靴についてのより詳細な映像を見ることができる
２　引用発明
　上記１の引用文献１の，特に下線を付加した記載に着目すると，引用文献１には，以下の発明（以下，「引用発明」という。）が記載されていると認められる。
「婦人靴検索システムであって，
　婦人靴検索システムは，サンプル１，操作プレート２，ＲＦＩＤリーダ３，レイアウト表示シート４，コンピュータ５，モニタ６及び商品検索台７を有し，婦人靴を販売する店舗において来店客に商品の靴に関する情報提供を行うものであり，
　サンプル１は，本婦人靴検索システムでの情報検索において指定できる各検索条件を来店客に連想させるメタファ（隠喩）となる物に，ＲＦＩＤタグ（ないしＩＣ（integrated circuit）タグ）を付したものであり，それぞれの検索条件を連想させる各物毎に予め当該各物を識別する識別情報のタグＩＤが割り当てられ，そのタグＩＤを記憶したＲＦＩＤタグが付されたもの（ＲＦＩＤタグが貼付，添付ないし内蔵等されたもの）となっており，
　操作プレート２は，本婦人靴検索システムに対して行うことができる各操作を来店客に連想させるメタファとなる物に，ＲＦＩＤタグ（ないしＩＣタグ）を付したものであり，それぞれの操作を連想させる各物毎に予め当該各物を識別する識別情報のタグＩＤが割り当てられ，そのタグＩＤを記憶したＲＦＩＤタグが付されたもの（ＲＦＩＤタグが貼付，添付ないし内蔵等されたもの）となっており，３Ｄ映像操作プレート２０としては，“表示”の文字が示された“表示”プレートと“回転停止”の文字及び図示の回転矢印が示された“回転停止”プレートが用意されており，移動操作プレート２１としては，“次へ”の文字及び三角形の右方向指示マークが示された“次へ”プレートと“前へ”の文字及び三角形の左方向指示マークが示された“前へ”プレートが用意されており，これらの“表示”プレート，“回転停止”プレート，“次へ”プレート，“前へ”プレートは，実際に触れることができる有体物であって，それぞれ表示，回転停止，次へ，前へといった操作のメタファとなる物になっており，個々のプレートを識別するためのＲＦＩＤタグがそれぞれの裏面等の所定箇所に貼付されており，
　ＲＦＩＤリーダ３は，その上の読取領域に置かれたＲＦＩＤタグに記憶されている情報を読み取るＲＦＩＤの読取手段であり，コンピュータ５と接続されており，
　レイアウト表示シート４は，ＲＦＩＤリーダ３上に置かれた紙製等のシートであり，ＲＦＩＤリーダ３上に置く物の案内をする所定のレイアウト表示がなされており，“探したい靴のサンプル”と示された四角形状の枠が表示され，その枠内にそれぞれ“色”，“スタイルまたは靴”，“サイズ”，“材質”と示された四角形状の４つの枠が表示されており，これにより，上述した色サンプル１２，スタイルサンプル１３，サイズサンプル１０，材質サンプル１１をそれぞれ図中の破線矢印で示したように“色”，“スタイルまたは靴”，“サイズ”，“材質”の枠内に置くよう案内しており，探したい靴のサンプル”の枠の下に“操作”と示された四角形状の枠が表示され，その枠内にそれぞれ“３Ｄ映像”，“移動”と示された四角形状の２つの枠が表示され，これにより，３Ｄ映像操作プレート２０，移動操作プレート２１をそれぞれ “３Ｄ映像”，“移動”の枠内に置くよう案内しており，
　コンピュータ５は，本婦人靴検索システムによる情報提供を実施するためのプログラムがインストールされているパーソナル・コンピュータ等の電子計算機であり，タグＩＤ読取部５ａ，アプリ部５ｂ及び記憶部５ｃを有し，モニタ６と接続されており，
　タグＩＤ読取部５ａは，ＲＦＩＤリーダ３に対してＲＦＩＤタグのタグＩＤを読み取らせるタグ読取コマンドを送信し，ＲＦＩＤリーダ３から読み取ったタグＩＤ群を受信し，アプリ部５ｂに対してタグＩＤ群を供給しており，ここで，アプリ部５ｂに供給するタグＩＤ群（“（３）タグＩＤ群”）の形式は，‘タグＩＤ，タグＩＤ，…，ダミータグＩＤ’とし，１回に読み取られたタグＩＤ群の区切りを示す所定のダミータグＩＤを付加したものであり，
　アプリ部５ｂは，読み取られたタグＩＤと記憶部５ｃ中の情報に基づいてモニタ６の表示制御等を行うアプリケーション・プログラムの実行処理部であり，
　記憶部５ｃは，コンピュータ５にインストールされたプログラムのファイルやそのプログラムによって取り扱われる種々の情報のデータ・ファイル等が格納されている記憶手段であり，各タグＩＤと当該各タグＩＤが割り当てられた物に関する情報との対応関係を表したタグＩＤテーブルや商品の靴に関する情報のデータベース等のファイルが予め記憶されており，
　タグＩＤテーブルは，それぞれのタグＩＤ毎に対応する種別，属性及び属性内ＩＤが記憶されたものとなっており，タグＩＤをキーとして参照され，属性内ＩＤは，そのタグＩＤが割り当てられた物が該当する属性の中でユニークな任意のＩＤであり，各属性に含まれる個々の物に対しては，当該各属性内において他の物と識別するＩＤが属性内ＩＤとして予め割り当てられており，その属性内ＩＤが個々の物のタグＩＤに対応する属性内ＩＤとして予め記憶されており，
　属性毎のテーブルは，かかる属性内ＩＤ毎に，対応する個々の物に係る情報が記憶されたものであり，
　操作の各属性については，３Ｄ映像のそれぞれの属性内ＩＤに対応する“表示”等を示す値が記憶された３Ｄ映像テーブル，及び移動のそれぞれの属性内ＩＤに対応する“次へ”等を示す値が記憶された移動テーブルがあり，すなわち，操作の各属性においては，それぞれの属性内ＩＤが対応する個々の物に係る情報として，その物がメタファとなっていて指定する具体的な個々の操作が記憶されており，
　記憶部５ｃには，商品コードＤＢ中の各商品コードに対応する静止画像ファイル名及び３Ｄ映像ファイル名の静止画像ファイル及び３Ｄ映像ファイルも記憶されており，これらの情報が当該アプリケーション・プログラムを実行するアプリ部５ｂの処理で利用され，モニタ６の表示が制御されており，
　モニタ６は，そのアプリ部５ｂによる制御の下で画面上に所定の情報表示をする液晶ディスプレイやプラズマディスプレイ等の表示手段であり，
　婦人靴検索システムにおいて，アプリ部５ｂがモニタ６の表示制御等を行う処理の手順において，
　アプリ部５ｂは，まず，モニタ６に初期画面を表示させ，初期画面は，モニタ６の画面中に“靴もしくはお探しの靴のサンプルを台の上に置いてください。”との案内表示がなされている画面であり，
　ユーザの来店客に対しては，この案内表示と上述したレイアウト表示シート４の案内によってサンプル１等の物をＲＦＩＤリーダ３上に置くよう促され，
　アプリ部５ｂは，続いてタグＩＤ読取部５ａからタグＩＤ群を受信し，タグＩＤが対応するタグＩＤテーブル中の属性及び属性内ＩＤに基づいて属性毎のテーブルから値を読み出し，読み出されている値から属性値が指定された初期画面をモニタ６に表示させ，ここにいう属性値が指定された初期画面とは，例えば色が赤である等，既に読み出されている値が含まれる属性（スタイル，色，材質ないしサイズ）について，その値が示す個々の物に係る情報（パンプス，赤，革ないし23.5等）が表示された画面であり，
　モニタ６が検索結果画面の表示状態であるときに３Ｄ映像操作プレート２０の“表示”プレートが置かれると，アプリ部５ｂは，そのタグＩＤが対応するタグＩＤテーブル中の属性及び属性内ＩＤに基づいて属性毎のテーブルから値を読み出し，属性が３Ｄ映像で値が“表示”のタグＩＤがあると判断し，次いで属性が３Ｄ映像で値が“回転停止”のタグＩＤがあるか否かを判断し，モニタ６に選択枠の靴に該当する３Ｄ映像画面を表示させ，その３Ｄ映像を回転させ，
　来店客Ｘが検索結果画面中央の靴に合わせ，その靴の形等を３Ｄ映像でよく見てみたいと思ったときに，３Ｄ映像操作プレート２０の“表示”プレートを置くと，当該靴の３Ｄ映像がポップアップし，回転して表示され，来店客Ｘは，その靴についてのより詳細な映像を見ることができる
表示制御処理手順。」
第５　対比・判断
１　本願発明１について
（１）対比
　本願発明１と引用発明とを対比すると，次のことが認められる。
ア　引用発明は，「婦人靴検索システムにおいて，アプリ部５ｂがモニタ６の表示制御等を行う処理の手順において，」「モニタ６が検索結果画面の表示状態であるときに３Ｄ映像操作プレート２０の“表示”プレートが置かれると，アプリ部５ｂは，そのタグＩＤが対応するタグＩＤテーブル中の属性及び属性内ＩＤに基づいて属性毎のテーブルから値を読み出し，属性が３Ｄ映像で値が“表示”のタグＩＤがあると判断し，次いで属性が３Ｄ映像で値が“回転停止”のタグＩＤがあるか否かを判断し，モニタ６に選択枠の靴に該当する３Ｄ映像画面を表示させ，その３Ｄ映像を回転させ」ることにより，「来店客Ｘが検索結果画面中央の靴に合わせ，その靴の形等を３Ｄ映像でよく見てみたいと思ったときに，３Ｄ映像操作プレート２０の“表示”プレートを置くと，当該靴の３Ｄ映像がポップアップし，回転して表示され，来店客Ｘは，その靴についてのより詳細な映像を見ることができる表示制御処理手順」である。
　ここで，引用発明において，「靴の３Ｄ映像がポップアップし，回転して表示され」ることは，「バーチャルリアリティ」（仮想現実）技術を用いて，表示することに他ならない。
　よって，引用発明の「婦人靴検索システム」および「表示制御処理手順」は，それぞれ，本願発明１の「バーチャルリアリティデバィス」および「表示制御方法」に対応するといえる。
　したがって，本願発明１と引用発明とは，「バーチャルリアリティデバィスに用いる表示制御方法であ」る点で共通しているといえる。
イ　引用発明では，「サンプル１は，本婦人靴検索システムでの情報検索において指定できる各検索条件を来店客に連想させるメタファ（隠喩）となる物に，ＲＦＩＤタグ（ないしＩＣ（integrated circuit）タグ）を付したものであり，それぞれの検索条件を連想させる各物毎に予め当該各物を識別する識別情報のタグＩＤが割り当てられ，そのタグＩＤを記憶したＲＦＩＤタグが付されたもの（ＲＦＩＤタグが貼付，添付ないし内蔵等されたもの）となっており，」「ユーザの来店客に対しては，この案内表示と上述したレイアウト表示シート４の案内によってサンプル１等の物をＲＦＩＤリーダ３上に置くよう促され，」「タグＩＤ読取部５ａからタグＩＤ群を受信し，タグＩＤが対応するタグＩＤテーブル中の属性及び属性内ＩＤに基づいて属性毎のテーブルから値を読み出し，読み出されている値から属性値が指定された初期画面をモニタ６に表示させ，ここにいう属性値が指定された初期画面とは，例えば色が赤である等，既に読み出されている値が含まれる属性（スタイル，色，材質ないしサイズ）について，その値が示す個々の物に係る情報（パンプス，赤，革ないし23.5等）が表示された画面であり，モニタ６が検索結果画面の表示状態であるときに３Ｄ映像操作プレート２０の“表示”プレートが置かれると，アプリ部５ｂは，そのタグＩＤが対応するタグＩＤテーブル中の属性及び属性内ＩＤに基づいて属性毎のテーブルから値を読み出し，属性が３Ｄ映像で値が“表示”のタグＩＤがあると判断し，次いで属性が３Ｄ映像で値が“回転停止”のタグＩＤがあるか否かを判断し，モニタ６に選択枠の靴に該当する３Ｄ映像画面を表示させ，その３Ｄ映像を回転させ」ている。
　ここで，引用発明の「ＲＦＩＤタグ」は，本願発明１の「近距離無線通信タグ」に相当する。
　また，引用発明の「物を識別する識別情報のタグＩＤ」は，本願発明１の「表示対象」「を含む制御情報」に相当する。
　さらに，引用発明の「３Ｄ映像操作プレート２０の“表示”プレート」「のタグＩＤ」は，本願発明１の「制御タイプ」「を含む制御情報」に相当する。
　したがって，本願発明１と引用発明とは，「近距離無線通信タグが検出された場合，前記近距離無線通信タグに予め記憶されている，制御タイプ」「を含む制御情報」と「表示対象とを含む制御情報を取得」している点で共通しているといえる。
ウ　引用発明において，「モニタ６が検索結果画面の表示状態であるときに３Ｄ映像操作プレート２０の“表示”プレートが置かれると，アプリ部５ｂは，そのタグＩＤが対応するタグＩＤテーブル中の属性及び属性内ＩＤに基づいて属性毎のテーブルから値を読み出し，属性が３Ｄ映像で値が“表示”のタグＩＤがあると判断し，次いで属性が３Ｄ映像で値が“回転停止”のタグＩＤがあるか否かを判断し，モニタ６に選択枠の靴に該当する３Ｄ映像画面を表示させ，その３Ｄ映像を回転させ」ている。
　ここで，引用発明の「３Ｄ映像で値が“回転停止”のタグＩＤがあるか否かを判断し，モニタ６に選択枠の靴に該当する３Ｄ映像画面を表示させ，その３Ｄ映像を回転させ」ることは，本願発明１の「バーチャルリアリティデバィスにおいて，バーチャルリアリティ画面に表示されるコンテンツを制御するため，前記制御タイプに基づき前記表示対象に対して対応する操作を行うこと」に対応するといえる。
　したがって，本願発明１と引用発明とは，「前記バーチャルリアリティデバィスにおいて，バーチャルリアリティ画面に表示されるコンテンツを制御するため，前記制御タイプに基づき前記表示対象に対して対応する操作を行うことと，を含」む点で共通しているといえる。
エ　引用発明において，「３Ｄ映像画面を表示させ」る対象となるのは「靴」であり，表示対象となる「靴」は「物を識別する識別情報のタグＩＤ」により識別されている。
　したがって，本願発明１と引用発明とは，「前記表示対象は，前記制御タイプに対応する識別情報であ」る点で共通しているといえる。
（２）一致点・相違点
　本願発明１と，引用発明とは，以下アの点で一致し，以下イの点で相違する。
ア　一致点
「バーチャルリアリティデバィスに用いる表示制御方法であって，
　近距離無線通信タグが検出された場合，前記近距離無線通信タグに予め記憶されている，制御タイプを含む制御情報と，表示対象を含む制御情報とを取得することと，
　前記バーチャルリアリティデバィスにおいて，バーチャルリアリティ画面に表示されるコンテンツを制御するため，前記制御タイプに基づき前記表示対象に対して対応する操作を行うことと，を含み，
　前記表示対象は，前記制御タイプに対応する識別情報である
表示制御方法。」
イ　相違点
（ア）　相違点１
　本願発明１では，「前記制御タイプが，デフォルト表示コンテンツの設定制御であり，前記表示対象が，デフォルト表示コンテンツを設定する表示コンテンツ識別情報であ」るのに対して，引用発明では，デフォルト表示コンテンツの設定制御や表示コンテンツ識別情報であるのか否か明らかでない点。
（イ）　相違点２
　本願発明１では「前記制御タイプに基づき前記表示対象に対して対応する操作を行うこと，とは，前記表示コンテンツ識別情報を，予め設定されたデフォルト表示コンテンツ属性に割り当てることにより，前記表示コンテンツ識別情報に対応する表示コンテンツをデフォルト表示コンテンツにすることであ」るのに対して，引用発明では，そのような構成が含まれているのか否か明らかでない点。
（ウ）　相違点３
　本願発明１では，「前記デフォルト表示コンテンツの設定制御には，複数のタイプがあり，前記複数のタイプには，デフォルトの表示シーンの設定制御，および，デフォルトで表示されるアプリケーションプログラムの設定制御が含まれる」のに対して，引用発明では，そのような構成が含まれているのか否か明らかでない点。
（３）相違点についての判断
　事案に鑑みて，まず，相違点３について検討する。
　本願発明１の相違点３に係る構成の，特に，「デフォルトで表示されるアプリケーションプログラムの設定制御が含まれる」という構成について，引用文献１には，「近距離無線通信タグに予め記憶されている，制御タイプ」として，「デフォルトで表示されるアプリケーションプログラムの設定制御が含まれる」ことは記載も示唆も無く，当該構成が周知であったとも認められない。
　さらに，本願発明１は，上記相違点３に係る構成の内，特に，「近距離無線通信タグに予め記憶されている，制御タイプ」として，「デフォルトで表示されるアプリケーションプログラムの設定制御が含まれる」構成を採用することにより，「近距離無線通信タグに予め記憶されている，制御タイプ」を読み取ることにより，「デフォルトで表示されるアプリケーションプログラムの設定制御」を可能としており，格別の効果を奏する。
　よって，相違点３は実質的なものであるから，本願発明１は引用文献１に記載された発明ではない。
　また，引用発明に基づいて，当業者は本願発明１の相違点３に係る構成を容易に想到することができない。
エ　小括
　したがって，上記相違点１および２について判断するまでもなく，本願発明１は引用文献１に記載された発明ではなく，また，本願発明１は，引用発明に基づいて，当業者が容易に発明できたものであるとはいえない。
２　本願発明２ないし本願発明７について
　本願発明２ないし本願発明７は，いずれも，本願発明１と同一の構成を備えるものであるから，本願発明１と同じ理由により，引用文献１に記載された発明ではなく，また，引用発明に基づいて，当業者が容易に発明できたものであるとはいえない。
第６　原査定について
　審判請求時の補正により，本願発明１ないし本願発明７は，「近距離無線通信タグに予め記憶されている，制御タイプ」に「デフォルトで表示されるアプリケーションプログラムの設定制御が含まれること」が限定されたものとなっており，本件補正後の本願発明１ないし本願発明７は，原査定において引用された引用文献１に記載された発明ではなく，また，本件補正後の本願発明１ないし本願発明７は，当業者であっても，原査定において引用された引用文献１に記載された発明に基づいて，容易に発明できたものとはいえない。したがって，原査定の理由１および２は，いずれも，維持することはできない。
第７　むすび
　以上のとおり，原査定の理由によっては，本願を拒絶することはできない。
　また，他に本願を拒絶すべき理由を発見しない。
　よって，結論のとおり審決する。